(57)【要約】【課題】コンピュータ装置とＲＡＩＤとの接続のためのインタフェースを見直すことで、例えば最大２ＧＢまでのファイルでＳｅｑｕｅｎｔｉａｌ  Ｒｅａｄ／Ｗｒｉｔｅで約１ＧＢｙｔｅ／ｓｅｃ以上の性能を得られるディスクアレイ装置の提供を目的とする。【構成】１０ａは６台以上のＨＤＤを制御するＲＡＩＤ構造がＲＡＩＤ５であるディスクアレイ装置であり、２０ａは１プラッタで構成されたハードディスクを６台（ＨＤＤ１，ＨＤＤ２，ＨＤＤ３，ＨＤＤ４，ＨＤＤ５，ＨＤＤ６）備えたＨＤＤであり、３０ａはコンピュータ装置（図示せず）に設けられるマザーボードであり、マザーボード３０ａにはＰＣＩ−Ｅｘｐｒｅｓｓ（登録商標）規格に準拠している端子３１が設けられ、また上位装置であるコンピュータ装置（図示せず）に接続される端子３２が設けられ、４０ａはディスクアレイ装置１０ａとＨＤＤ２０ａを接続する高速シリアルインタフェースであり、５０ａはディスクアレイ装置１０ａとマザーボード３０ａを接続するｘ８バス幅を備えたＰＣＩ−Ｅｘｐｒｅｓｓ（登録商標）である。【選択図】図１
0003145763.tif 000002
【実用新案登録請求の範囲】
【請求項１】
複数以上の記憶装置を制御するディスクアレイ装置において、前記ディスクアレイ装置とコンピュータ装置に設けられたマザーボードを接続する高速シリアルインタフェースがＰＣＩ−Ｅｘｐｒｅｓｓ（登録商標）であることを特徴とする、伝送速度を向上させたディスクアレイ装置。
【請求項２】
前記ディスクアレイ装置を制御するＲＡＩＤ構造がＲＡＩＤレベル５（ＲＡＩＤ５）であることを特徴とする、請求項１に記載の伝送速度を向上させたディスクアレイ装置。
【請求項３】
前記マザーボードが、ＰＣＩ−Ｅｘｐｒｅｓｓ（登録商標）規格に準拠している端子を備えたマザーボードであることを特徴とする、請求項１または請求項２に記載の伝送速度を向上させたディスクアレイ装置。
【考案の詳細な説明】
【技術分野】
【０００１】  本考案は、複数以上の記憶装置を制御するディスクアレイ装置において、前記ディスクアレイ装置とコンピュータ装置に設けられたマザーボードを接続する高速シリアルインタフェースがＰＣＩ−Ｅｘｐｒｅｓｓ（登録商標）であることを特徴とする、伝送速度を向上させたディスクアレイ装置に関するものである。
【背景技術】
【０００２】  近年、複数のハードディスクドライブ（以下、ＨＤＤと略す）等の記憶装置を並べて、これら全体を１つのハードディスク装置として制御可能なＲＡＩＤ（Ｒｅｄｕｎｄａｎｔ  Ａｒｒａｙ  ｏｆ  Ｉｎｄｅｐｅｎｄｅｎｔ  Ｄｉｓｋｓ）構造を備えることにより、データの読み書き速度を高速化したり、信頼性を向上することができることで、コンピュータ装置の外部記憶装置として用いられている。このＲＡＩＤは、ディスクアレイとも称されており、コンピュータ装置（パソコンやサーバーなど）に接続されるＲＡＩＤシステムと、このＲＡＩＤシステムに対して並列に接続される複数のハードディスク装置とを有している。そして、各ハードディスク装置は、ＲＡＩＤシステムにより動作制御がなされていて、従来のディスクアレイ装置のインタフェースとしては、一般的には、パソコン側のバス規格としては、ＰＣＩ（Ｐｅｒｉｐｈｅｒａｌ  Ｃｏｍｐｏｎｅｎｔ  Ｉｎｔｅｒｃｏｎｎｅｃｔ）、ＰＣＩ−Ｘ、ＰＣＭＣＩＡインターフェイス、ＩＳＡ、など、また、インターフェース側のバス規格としては、ＵＳＢ、ＩＥＥＥ１３９４、シリアルＡＴＡ（ＳＡＴＡ）、パラレルＡＴＡ（ＰＡＴＡ）、ＳＡＳ、ＳＣＳＩ（Ｓｍａｌｌ  Ｃｏｍｐｕｔｅｒ  Ｓｙｓｔｅｍ  Ｉｎｔｅｒｆａｃｅ）、ファイバチャネルインタフェース（Ｆｉｂｅｒ  Ｃｈａｎｎｅｌ  Ｉｎｔｅｆａｃｅ；ＦＣ）、など、或いはその他の適合するバスインタフェースなどが用いられている。【０００３】  また、近年、コンピュータ装置（パソコンやサーバーなど）は、ＣＰＵやメモリの動作周波数の向上等に伴い、大容量の画像データのような連続したデータを高速に読み込み、書き込みたいという要求があるにもかかわらず、既存のＲＡＩＤシステムではその性能は十分ではなく要求を十分に満たしていない。
また、コンピュータ装置内だけでなく、Ｉ／Ｏ（入力／出力）インタフェースに接続されたアドインカードや外部機器との間のデータ伝送速度も向上する必要に迫られ、例えば、データの転送速度を確保するために、ＰＣＩ−Ｅｘｐｒｅｓｓ（登録商標）バスのような高速シリアルバスが使用されるようになってきた。このＰＣＩ−Ｅｘｐｒｅｓｓ（登録商標）は、様々なアプリケーションに適合できる柔軟性と高速シリアル伝送を使った大容量伝送を可能にしたもので、ネットワークカード、グラフィックスカード等の増設または拡張ボードに利用され、一般的には、１ビットあたりの信号伝送レートは実効速度２．０Ｇｂｐｓ（２５０ＭＢ／ｓｅｃ）であることが知られている。【０００４】  そこで、例えば、下記のようなＰＣＩ−Ｅｘｐｒｅｓｓ（登録商標）規格を用いた開発案件や関連技術が一般的に知られるようになってきた。
例えば、特開２００８−１３４７７６号公報に示されている、コントローラ間接続経路が、ＰＣＩ−Ｅｘｐｒｅｓｓ（登録商標）規格に準拠したバスであることを特徴とする記憶制御装置の開発案件。
また、例えば、特開２００８−９０８１９号公報に示されている、コンピュータシステムのコンポーネントのバス構造がＰＣＩ−Ｅｘｐｒｅｓｓ（登録商標）バスであることを特徴とするコンピュータシステムの開発案件。
また、例えば、特開２００７−３１６７２２号公報に示されている、パーソナルコンピュータ（Ｐｅｒｓｏｎａｌ  Ｃｏｍｐｕｔｅｒ）等のコンピュータのシステムバスがＰＣＩ−Ｅｘｐｒｅｓｓ（登録商標）規格に準拠したコネクタを備えた回路ボードの開発案件。
また、例えば、特開２００７−２７２８６１号公報に示されている、パソコンやワークステーションのデバイスインタフェースは、ＰＣＩ−Ｅｘｐｒｅｓｓ（登録商標）インタフェース、ＰＣＩ−Ｅｘｐｒｅｓｓ  ｘ１６インタフェース及びＵＳＢ２．０インタフェースのいずれか１つであることを特徴とする開発案件。
また、例えば、特開２００７−１８３９６１号公報に示されている、補助メモリがＰＣＩバス又はＰＣＩ−Ｅｘｐｒｅｓｓ（登録商標）に接続可能であることを特徴とするコンピュータの開発案件。
また、例えば、特開２００７−１４２７４１号公報に示されている、画像形成装置に用いられる高速シリアルバスが、ＰＣＩ−Ｅｘｐｒｅｓｓ（登録商標）のバスであることを特徴とする開発案件。
また、例えば、特開２００７−７４０２１号公報に示されている、汎用バスがＰＣＩ−Ｅｘｐｒｅｓｓ（登録商標）であることを特徴とする情報処理装置の開発案件。
また、例えば、特表２００７−５３５７２９号公報に示されている、ホスト接続規格が、パーソナルコンピュータメモリカード国際協会（ＰＣＭＣＩＡ）規格、ＰＣカード規格、カードバス規格、ユニバーサルシリアルバス（ＵＳＢ）規格、ユニバーサルシリアルバス２（ＵＳＢ２）規格、ＩＥＥＥ１３９４ファイアワイヤ規格、小型コンピュータシステムインタフェース（ＳＣＳＩ）規格、アドバンステクノロジアタッチメント（ＡＴＡ）規格、シリアルＡＴＡ規格、周辺装置相互接続（ＰＣＩ）規格、ＰＣＩエクスプレス規格、および従来のシリアルまたはパラレル規格のうちの１つを含み、前記装置接続規格が、コンパクトフラッシュ（登録商標）規格、スマートメディア規格、マルチメディアカード規格、セキュアデジタル規格、メモリスティック規格、およびｘＤ規格のうちの１つを含むことを特徴とする、メモリカードの開発案件。
また、例えば、実登３１１６７５３号公報に示されている、ストレージインタフェースとネットワーク機能を整合させたインタフェースカードにおいて、拡張スロットがＩＳＡ、ＥＩＳＡ、ＰＣＩ、ＰＣＩ−Ｘ、或いはＰＣＩ−Ｅｘｐｒｅｓｓ（登録商標）のいずれかの拡張スロットとされたことを特徴とする、ストレージインタフェースとネットワーク機能を整合させたインタフェースカードの開発案件。
【考案の開示】
【考案が解決しようとする課題】
【０００５】  ところが、ＨＤＤ等の記憶装置の増設または拡張のニーズは高く、コンピュータ装置（パソコンやサーバーなど）を構成するプロセッサの急速な高速化にともなって、上述した各種インタフェースも強く高速化が求められている。
また、大容量のデータを高速に読み込み、書き込みたいという要求は高まる一方であり、既存のＲＡＩＤシステムではその性能は十分ではなくその要求を十分には満たしてはいない。
また、近年、高速シリアルインタフェースとして注目されているＰＣＩ−Ｅｘｐｒｅｓｓ（登録商標）が上述したようにＲＡＩＤシステムへの応用が成されていない。【０００６】  本考案は、上述した問題を解決するために成されたものであり、コンピュータ装置とＲＡＩＤとの接続のためのインタフェースを見直すことで、例えば最大２ＧＢまでのファイルでＳｅｑｕｅｎｔｉａｌ  Ｒｅａｄ／Ｗｒｉｔｅで約１ＧＢｙｔｅ／ｓｅｃ以上の性能を得られるディスクアレイ装置の提供を目的とする。
【課題を解決するための手段】
【０００７】  課題を解決するための第一の手段（請求項１）は、複数以上の記憶装置を制御するディスクアレイ装置において、前記ディスクアレイ装置とコンピュータ装置に設けられたマザーボードを接続する高速シリアルインタフェースがＰＣＩ−Ｅｘｐｒｅｓｓ（登録商標）であることを特徴とする、伝送速度を向上させたディスクアレイ装置を提供することである。【０００８】  課題を解決するための第一の手段で記述した記憶装置に関しては、本考案ではハードディスクドライブ（以下「ＨＤＤ」という。）の使用を想定しているが、他の記憶装置や記憶手段、例えば、磁気ディスク装置や光ディスク装置や光磁気ディスク装置や半導体ディスクメモリ（ＳＳＤ）等によりアレイ型記録装置を構成するような場合でも可能であり、また１つのシステムに用いられる記憶装置は同一種類の記憶装置である場合に限らないものとする。また、本考案では前記ＨＤＤは１プラッタタイプの使用が好ましいと判断しているが、１プラッタ以上のタイプでも使用は可能である。また、前記ＨＤＤに関しては、本考案では例えば６台以上ある場合を想定しているが、複数以上であればその台数に制限はなく他の台数でも構わない。
課題を解決するための第一の手段で記述したディスクアレイ装置に関しては、一般的にはＲＡＩＤ（Ｒｅｄｕｎｄａｎｔ  Ａｒｒａｙ  ｏｆ  Ｉｎｅｘｐｅｎｓｉｖｅ  Ｄｉｓｋｓ）構造を有するＨＤＤ装置であり、ＨＤＤに設けられたコネクタと勘合しＨＤＤの信号線を前記ＨＤＤ装置本体と接続するインタフェース・コネクタを複数備えたインタフェース基板であり、ボード形態やカード形態で使用される場合が多い。
課題を解決するための第一の手段で記述したコンピュータ装置に関しては、マイコン、パーソナルコンピュータ、ワークステーション、メインフレームコンピュータ、パソコンサーバー、ビデオサーバー、Ａ／Ｖサーバー、などの情報処理装置などを示している。【０００９】  課題を解決するための第一の手段で記述した、マザーボードに関しては、前記コンピュータ装置の内部に設けられる回路基板であり多数の電子コンポーネントで構成され、ボード形態やカード形態で使用される場合が多く、この回路基板が一般的に「マザーボード」と呼ばれている。マザーボードは、通常、少なくとも周辺制御機構、拡張用端子を包含する。
課題を解決するための第一の手段で記述したＰＣＩ−Ｅｘｐｒｅｓｓ（登録商標）に関しては、ＰＣＩ−Ｅｘｐｒｅｓｓ  ｘ１モード、ＰＣＩ−Ｅｘｐｒｅｓｓ  ｘ２モード、ＰＣＩ−Ｅｘｐｒｅｓｓ  ｘ４モード、ＰＣＩ−Ｅｘｐｒｅｓｓ  ｘ８モード、ＰＣＩ−Ｅｘｐｒｅｓｓ  ｘ１６モード、などが知られているが、本考案ではＰＣＩ−Ｅｘｐｒｅｓｓ  ｘ８モードの使用が好ましい。
また、前記ＰＣＩ−Ｅｘｐｒｅｓｓ（登録商標）の接続手段は、一般的には前記マザーボード上にあるコネクタ（拡張用端子）に拡張カードを装着する場合が多いが、それ以外の方法でも構わない。【００１０】  課題を解決するための第二の手段（請求項２）は、前記ディスクアレイ装置を制御するＲＡＩＤ構造がＲＡＩＤレベル５（ＲＡＩＤ５）であることを特徴とする、課題を解決するための第一の手段に記載の伝送速度を向上させたディスクアレイ装置を提供することである。【００１１】  課題を解決するための第二の手段で記述したＲＡＩＤ構造に関しては、複数以上のハードディスクを１台のハードディスクとして管理する、ＲＡＩＤ（Ｒｅｄｕｎｄａｎｔ  Ａｒｒａｙｓ  ｏｆ  Ｉｎｅｘｐｅｎｓｉｖｅ  Ｄｉｓｋｓ）という技術であり、前記ＲＡＩＤには、ＲＡＩＤ０、ＲＡＩＤ１、ＲＡＩＤ２、ＲＡＩＤ３、ＲＡＩＤ４、ＲＡＩＤ５、ＲＡＩＤ６、ＲＡＩＤ１０などのレベルが知られており、例えば、ＲＡＩＤ１は、通常のミラー（シャドー）方式であり、同一のデータを２つのグループのディスク装置に記憶するタイプであり、ＲＡＩＤ１のシステムは高信頼性が要求されるシステムで従来から一般的であるが、冗長度が大きいために容量当たりコストが高価となることが知られている。また、例えば、ＲＡＩＤ２は、ＤＲＡＭで使われているハミングコード形式を適用したもので、冗長グループのデータディスクにビットインタリーブして記憶するタイプであり、１ビットエラー修正可能とするため、例えば、１グループ１０〜２５台程度の構成とした時に、チェックディスク（データディスク数１０台の時、チェックディスク数は４台必要）にＥＣＣコードを書くため冗長度がやや大きくなることが知られている。また、例えば、ＲＡＩＤ３は、パリティディスクを固定で使用し、データをグループ中のデータディスクにバイトインタリーブして記録するタイプであり、エラー位置はドライブごとのＥＣＣから判るのでパリティディスクは１台ですむことで、スピンドルを回転同期させ高速度転送するのに適していることが知られている。また、例えば、ＲＡＩＤ４は、パリティディスクを固定で使用し、データをグループ中のデータディスクにブロックインタリーブして記録するタイプであり、ＲＡＩＤ３との違いはインタリーブ単位が異なり、ブロック単位で記録するため小量データのアクセスが多い場合により向いていることが知られている。また、例えば、ＲＡＩＤ５は、ＲＡＩＤ３やＲＡＩＤ４と違って固定のパリティディスクを持たず、パリティデータは構成するディスクに分散記録（ストライピング）するタイプであり、このため、ＷＲＩＴＥ時にパリティディスクへの負荷集中といったことが起きず、ＷＲＩＴＥの比率が多いほどＲＡＩＤ４より有利となり、使用時性能も容量効率もともに良いことが知られている。【００１２】  上述した内容を考慮して、本考案で使用するＲＡＩＤ構造に関しては、ＲＡＩＤ５であることが好ましい。【００１３】  課題を解決するための第三の手段（請求項３）は、前記マザーボードが、ＰＣＩ−Ｅｘｐｒｅｓｓ（登録商標）規格に準拠している端子を備えたマザーボードであることを特徴とする、課題を解決するための第一の手段または課題を解決す��ための第二の手段に記載の伝送速度を向上させたディスクアレイ装置を提供することである。【００１４】  課題を解決するための第三の手段で記述した端子に関しては、一般的には、電子機器の電流や信号の出入り口に付ける外部との連絡のための金具（ターミナル：ｔｅｒｍｉｎａｌ）を示すが、本考案では、コネクター（ｃｏｎｎｅｃｔｏｒ）、アダプター（ａｄａｐｔｅｒ）、スロット（ｓｌｏｔ）、なども包含するものとして説明する。なお、前記コネクターに関しては、一般的には、電線と、電線あるいは電子装置とを接続するものや、ある凸状の金具と着脱可能に一対となる金具との組合せである接続具として用いられており、また、前記アダプターに関しては、一般的には、電子器具や電子装置を多目的に使用するための付属品、または、それを着脱可能な状態で取り付けるための補助具として用いられており、また、前記ターミナルに関しては、一般的には、前記コンピュータ装置で、入出力を行う端末装置や周辺装置の意味としても用いられており、また、前記スロットに関しては、一般的には、溝穴や溝状という意味であり、前記コンピュータ装置で、拡張機能や拡張カードや拡張ボードを差し込む穴具として用いられている。【００１５】  課題を解決するための第三の手段で記述したＰＣＩ−Ｅｘｐｒｅｓｓ（登録商標）規格に準拠している端子に関しては、前記端子（コネクタータイプ）が、ｘ１バス幅を満たすように構成され、かつ少なくとも１つの前記端子（アダプタータイプ）が、ＰＣＩ−Ｅｘｐｒｅｓｓ規格の少なくともｘ２、ｘ４、ｘ８、ｘ１６、またはｘ３２バス幅を満たすタイプの使用が可能である。また、前記端子（コネクタータイプ）が、ｘ２バス幅を満たすように構成され、かつ少なくとも１つの前記端子（アダプタータイプ）が、ＰＣＩ−Ｅｘｐｒｅｓｓ規格の少なくともｘ４、ｘ８、ｘ１６、またはｘ３２バス幅を満たすタイプの使用が可能である。また、前記端子（コネクタータイプ）が、ｘ４バス幅を満たすように構成され、かつ少なくとも１つの前記端子（アダプタータイプ）が、ＰＣＩ−Ｅｘｐｒｅｓｓ規格の少なくともｘ８、ｘ１６、またはｘ３２バス幅を満たすタイプの使用が可能である。また、前記端子（コネクタータイプ）が、ｘ８バス幅を満たすように構成され、かつ少なくとも１つの前記端子（アダプタータイプ）が、ＰＣＩ−Ｅｘｐｒｅｓｓ規格の少なくともｘ１６、またはｘ３２バス幅を満たすタイプの使用が可能である。また、前記端子（コネクタータイプ）が、ｘ１６バス幅を満たすように構成され、かつ少なくとも１つの前記端子（アダプタータイプ）が、ＰＣＩ−Ｅｘｐｒｅｓｓ規格の少なくともｘ３２バス幅を満たすタイプの使用が可能である。
【考案の効果】
【００１７】  本考案のディスクアレイ装置によれば、６台以上のＨＤＤを制御するＲＡＩＤ構造がＲＡＩＤ５であり、このディスクアレイ装置と、ＰＣＩ−Ｅｘｐｒｅｓｓ（登録商標）規格に準拠している端子を備えたマザーボードを接続する高速シリアルインタフェースがＰＣＩ−Ｅｘｐｒｅｓｓ（登録商標）（ｘ８モードを使用の場合）であることで、最大２ＧＢまでのファイルでＳｅｑｕｅｎｔｉａｌ  Ｒｅａｄ／Ｗｒｉｔｅで約１ＧＢｙｔｅ／ｓｅｃ以上の性能を得られるディスクアレイ装置を提供できる。
【考案を実施するための最良の形態】
【００１８】  以下、本考案である伝送速度を向上させたディスクアレイ装置の実施の形態について、図１〜図５に基づいて説明する。
図１は本考案の一実施例の構成を示すブロック図である。図２は本考案の一実施例の構成を示すブロック図である。図３は転送速度の比較例を示したグラフ１である。図４は転送速度の比較例を示したグラフ２である。図５はＨＤＤの台数と転送速度の比較例を示したグラフ３である。
【実施例１】
【００１９】  図１より、１０ａは６台以上のＨＤＤを制御するＲＡＩＤ構造がＲＡＩＤ５であるディスクアレイ装置であり、２０ａは１プラッタで構成されたハードディスクを６台（ＨＤＤ１，ＨＤＤ２，ＨＤＤ３，ＨＤＤ４，ＨＤＤ５，ＨＤＤ６）備えたＨＤＤであり、３０ａはコンピュータ装置（図示せず）に設けられるマザーボードであり、マザーボード３０ａにはＰＣＩ−Ｅｘｐｒｅｓｓ（登録商標）規格に準拠している端子３１が設けられ、また上位装置であるコンピュータ装置（図示せず）に接続される端子３２が設けられ、４０ａはディスクアレイ装置１０ａとＨＤＤ２０ａを接続する高速シリアルインタフェースであり、５０ａはディスクアレイ装置１０ａとマザーボード３０ａを接続するｘ８モードを備えたＰＣＩ−Ｅｘｐｒｅｓｓ（登録商標）である。
また、図１より、１１はディスクアレイ装置１０ａに設けられ高速シリアルインタフェース４０ａを接続する端子であり、１２はディスクアレイ装置１０ａに設けられＰＣＩ−Ｅｘｐｒｅｓｓ  ｘ８−５０ａを接続する端子であり、２１はＨＤＤ２０ａに設けられ高速シリアルインタフェース４０ａを接続する端子であり、３１はマザーボード３０ａに設けられＰＣＩ−Ｅｘｐｒｅｓｓ  ｘ８−５０ａを接続する端子であり、３２はマザーボード３０ａに設けられコンピュータ装置（図示せず）に接続される端子である。
【実施例２】
【００２０】  図２より、１０ｂは６台以上のＨＤＤを制御するＲＡＩＤ構造がＲＡＩＤ５であるディスクアレイ装置であり、本実施例では、Ｉｎｔｅｌ  ＩＯＰ３４１  Ｉ／Ｏ  ｐｒｏｃｅｓｓｏｒ  ８００ＭＨｚを搭載したＰＣＩ−Ｅｘｐｒｅｓｓ  ｘ８接続のＲＡＩＤカードにメモリを２ＧＢ以上搭載し使用する。また、２０ｂは１プラッタで構成され、キャッシュメモリ３２ＭＢ以上搭載したハードディスクを６台以上（図示せず）備えたＨＤＤである。また、３０ｂはコンピュータ装置（図示せず）に設けられるマザーボードであり、ＰＣＩ−Ｅｘｐｒｅｓｓ  ｘ８以上のモードに対応する端子（図示せず）を搭載するマザーボードを使用するが、本実施例では、ＳｕｐｅｒＭｉｃｒｏ社製のマザーボードを用いるものとする。また、４０ｂはディスクアレイ装置１０ｂとＨＤＤ２０ｂを接続する高速シリアルインタフェースとしてＳＡＴＡ３００を使用し、本実施例では、Ａｒｅｃａ社製のＡＲＣ−１２３１ＭＬ（キャッシュメモリ２ＧＢ搭載した状態で用いるものとする）を用いるものとする。また、５０ｂはディスクアレイ装置１０ｂとマザーボード３０ｂを接続するｘ８モードを備えたＰＣＩ−Ｅｘｐｒｅｓｓ（登録商標）であり、本実施例ではメーカー名は特にこだわらないものとする。
【性能評価１】
【００２１】  表１と図３より、図１または図２に示した伝送速度を向上させたディスクアレイ装置と、一般的なＩｎｔｅｌ  Ｍａｔｒｉｘ  Ｒａｉｄを用いた場合との性能比較を表１と図３によって示したものであるが、図３の転送速度の比較例グラフ１で示したＭａｔｒｉｘ  Ｒａｉｄは一般的なＩｎｔｅｌ  Ｍａｔｒｉｘ  Ｒａｉｄを示しており、ＩＣＨ内蔵のＲＡＩＤシステムであり、図３の転送速度の比較例グラフ１で示した高速ＲＡＩＤは本考案のディスクアレイ装置のことであり、Ｒａｎｄｏｍ  Ｗｒｉｔｅでの場合、Ｒａｎｄｏｍ  Ｒｅａｄでの場合、Ｓｅｑｕｅｎｔｉａｌ  Ｗｒｉｔｅでの場合、Ｓｅｑｕｅｎｔｉａｌ  Ｒｅａｄでの場合、の比較結果を示したものである。この比較例グラフ１で明らかなように、本考案のディスクアレイ装置はＩｎｔｅｌ  Ｍａｔｒｉｘ  Ｒａｉｄに比べ約５〜２０倍高速であることが確認できる。
【００２２】  表１は、本考案のディスクアレイ装置とＩｎｔｅｌ  Ｍａｔｒｉｘ  Ｒａｉｄのデータ転送速度を比較したものである。なお、表１で示した、高速ＲＡＩＤは本考案のディスクアレイ装置のことであり、Ｍａｔｒｉｘ  Ｒａｉｄは一般的なＩｎｔｅｌ  Ｍａｔｒｉｘ  Ｒａｉｄを示しており、ＩＣＨ内蔵のＲＡＩＤシステムである。また、Ｓｅｑｕｅｎｔｉａｌ  Ｒｅａｄでの場合、Ｓｅｑｕｅｎｔｉａｌ  Ｗｒｉｔｅでの場合、Ｒａｎｄｏｍ  Ｒｅａｄでの場合、Ｒａｎｄｏｍ  Ｗｒｉｔｅでの場合、の比較結果を示したものである。この表１で明らかなように、本考案のディスクアレイ装置はＩｎｔｅｌ  Ｍａｔｒｉｘ  Ｒａｉｄに比べ約５〜２０倍高速であることが確認できる。
【表１】
0003145763.tif 000003
【性能評価２】
【００２３】  表２と図４の転送速度の比較例グラフ２に示すとおり、Ｉｎｔｅｌ  ＩＯＰ３４１  Ｉ／Ｏ  ｐｒｏｃｅｓｓｏｒ  ８００ＭＨｚを搭載したＲＡＩＤカードにキャッシュメモリを２ＧＢ搭載した環境を用いてＲＡＩＤの種類とＲＡＩＤを構成するＨＤＤの台数を変化させ性能評価を行った。転送に用いたファイルサイズは１ＧＢである。
また、ＲＡＩＤ０（Ｒ０）、ＲＡＩＤ１（Ｒ１）、ＲＡＩＤ５（Ｒ５）間での転送速度の性能比較を表２および図４に示す。参考値としてＩｎｔｅｌ  Ｍａｔｒｉｘ  ＲａｉｄによるＲＡＩＤ５の転送速度をＲＭとして示す。なお、Ｉｎｔｅｌ  Ｍａｔｒｉｘ  ＲａｉｄはＩＣＨ内蔵のＲＡＩＤシステムで幅広く用いられているＲＡＩＤシステムである。
表２と図４の転送速度の比較例グラフ２より、Ｓｅｑｕｅｎｔｉａｌ  ＷｒｉｔｅはＡＲＣ−１２３１ＭＬ（Ｉｎｔｅｌ  ＩＯＰ３４１  Ｉ／Ｏ  ｐｒｏｃｅｓｓｏｒ  ８００ＭＨｚを搭載したＲＡＩＤカード）で構成したいずれのＲＡＩＤを用いても１ＧＢｙｔｅ／ｓｅｃ以上の性能を示していることが確認できる。一方Ｓｅｑｕｅｎｔｉａｌ  ＲｅａｄではＲＡＩＤ０（Ｒ０）、ＲＡＩＤ１（Ｒ１）の転送速度が１Ｇｂｙｔｅ／ｓｅｃ以下であるのに対して、ＲＡＩＤ５（Ｒ５）では１ＧＢｙｔｅ／ｓｅｃを達成していることが確認でき、本考案の伝送速度を向上させたディスクアレイ装置の優位性が確認できる。また、ＲＡＩＤ０（Ｒ０）、ＲＡＩＤ１（Ｒ１）、ＲＡＩＤ５（Ｒ５）のいずれを用いてもＩｎｔｅｌ  Ｍａｔｒｉｘ  Ｒａｉｄ（ＲＭ）に比べ大幅に高速であることが確認できる。
【００２４】  表２は、本考案のディスクアレイ装置とＩｎｔｅｌ  Ｍａｔｒｉｘ  Ｒａｉｄ（ＲＭ）のデータ転送速度を比較したものである。なお、表２で示したＲＡＩＤ５（Ｒ５）、ＲＡＩＤ０（Ｒ０）、ＲＡＩＤ１（Ｒ１）は本考案のディスクアレイ装置のことであり、また、Ｓｅｑｕｅｎｔｉａｌ  ＲｅａｄとＳｅｑｕｅｎｔｉａｌ  Ｗｒｉｔｅ、Ｒａｎｄｏｍ  ＲｅａｄとＲａｎｄｏｍ  Ｗｒｉｔｅを比較したものである。
【表２】
0003145763.tif 000004
【性能評価３】
【００２５】  表３と図５は、ＲＡＩＤ５でのＨＤＤの台数による転送速度変化を示し、Ｓｅｑｕｅｎｔｉａｌ  ＲｅａｄとＳｅｑｕｅｎｔｉａｌ  Ｗｒｉｔｅ、Ｒａｎｄｏｍ  ＲｅａｄとＲａｎｄｏｍ  Ｗｒｉｔｅを比較したものである。Ｓｅｑｕｅｎｔｉａｌ  ＷｒｉｔｅはＨＤＤの台数に関係なく１ＧＢｙｔｅ／ｓｅｃ以上の性能を示しているが、Ｓｅｑｕｅｎｔｉａｌ  ＲｅａｄではＨＤＤの台数が６台の場合にのみ転送速度が１ＧＢｙｔｅ／ｓｅｃ以上であり、本考案の伝送速度を向上させたディスクアレイ装置の有効性が確認できる。
【００２６】  表３は、図１のＨＤＤ２０ａまたは図２のＨＤＤ２０ｂ、及びＲＡＩＤ５においてＨＤＤの台数（ＨＤＤ１〜ＨＤＤ６）を変化させた場合のデータ転送速度を比較したものである。
また、表３は、Ｓｅｑｕｅｎｔｉａｌ  ＲｅａｄとＳｅｑｕｅｎｔｉａｌ  Ｗｒｉｔｅ、Ｒａｎｄｏｍ  ＲｅａｄとＲａｎｄｏｍ  Ｗｒｉｔｅを比較したものである。
【表３】
0003145763.tif 000005
【００３０】  以上、本考案者によってなされた考案を実施の形態に基づき具体的に説明したが、本考案は前記実施の形態に限定されるものではなく、その要旨を逸脱しない範囲で種々変更可能であることは言うまでもない。
【産業上の利用可能性】
【００３１】  本考案の伝送速度を向上させたディスクアレイ装置は、マイコン、パーソナルコンピュータ、ワークステーション、メインフレームコンピュータ、パソコンサーバー、ビデオサーバー、Ａ／Ｖサーバー、などのマザーボードに接続可能なので産業上の利用可能性は大きいと判断できる。
【図面の簡単な説明】
【００３２】
【図１】本考案の一実施例の構成を示すブロック図である。
【図２】本考案の一実施例の構成を示すブロック図である。
【図３】転送速度の比較例を示したグラフ１である。
【図４】転送速度の比較例を示したグラフ２である。
【図５】ＨＤＤの台数と転送速度の比較例を示したグラフ３である。
【符号の説明】
【００３３】１０ａ・・ディスクアレイ装置
１０ｂ・・ディスクアレイ装置
１１・・・端子
１２・・・端子
２０ａ・・ＨＤＤ
２０ｂ・・ＨＤＤ
２１・・・端子
３０ａ・・マザーボード
３０ｂ・・マザーボード
３１・・・端子
３２・・・端子
４０ａ・・高速シリアルインタフェース
４０ｂ・・ＳＡＴＡ３００
５０ａ・・ＰＣＩ−Ｅｘｐｒｅｓｓ  ｘ８
５０ｂ・・ＰＣＩ−Ｅｘｐｒｅｓｓ  ｘ８
【図１】
0003145763.tif 000006
【図２】
0003145763.tif 000007
【図３】
0003145763.tif 000008
【図４】
0003145763.tif 000009
【図５】
0003145763.tif 000010